(57)【要約】【課題】精度よく無線信号の位相を捕獲できる無線通信装置および無線通信方法を提供する。【解決手段】実施形態によれば、位相がデータ値を表す無線信号を受信する無線通信装置が提供される。無線通信装置は、前記無線信号の周波数より高い周波数でカウント値を更新し、前記無線信号の位相変化に同期して、および、前記カウント値のオーバーフローにより、前記カウント値を初期値にリセットするカウンタと、前記カウント値のリセットタイミングに応じて位相捕獲値を設定する捕獲タイミング設定部と、前記カウント値が位相捕獲値に達すると、前記無線信号の位相を捕獲する位相捕獲部と、を備える。【選択図】図２
2015050741.tif 000002
【特許請求の範囲】
【請求項１】
位相がデータ値を表す無線信号を受信する無線通信装置であって、
前記無線信号の周波数より高い周波数でカウント値を更新し、前記無線信号の位相変化に同期して、および、前記カウント値のオーバーフローにより、前記カウント値を初期値にリセットするカウンタと、
前記無線信号の周期が変動した場合であっても、前記無線信号の１周期の間に１回だけ前記無線信号の位相が捕獲されるよう、前記カウント値のリセットタイミングに応じて位相捕獲値を設定する捕獲タイミング設定部と、
前記カウント値が位相捕獲値に達すると、前記無線信号の位相を捕獲する位相捕獲部と、を備え、
前記捕獲タイミング設定部は、
前記無線信号の位相変化に同期したカウント値のリセットが発生すると、前記位相捕獲値を所定の基準値より前に設定し、
前記オーバーフローによるカウント値のリセットが続けて所定回発生すると、前記位相捕獲値を所定の基準値より後に設定し、
前記カウント値が所定値に達する前に、前記オーバーフローによるカウント値のリセットが続けて所定回発生すると、前記位相捕獲値を所定の基準値より前に設定し、続いて、前記位相捕獲値を前記所定の基準値より後に設定することを特徴とする無線通信装置。
【請求項２】
位相がデータ値を表す無線信号を受信する無線通信装置であって、
前記無線信号の周波数より高い周波数でカウント値を更新し、前記無線信号の位相変化に同期して、および、前記カウント値のオーバーフローにより、前記カウント値を初期値にリセットするカウンタと、
前記カウント値のリセットタイミングに応じて位相捕獲値を設定する捕獲タイミング設定部と、
前記カウント値が位相捕獲値に達すると、前記無線信号の位相を捕獲する位相捕獲部と、を備えることを特徴とする無線通信装置。
【請求項３】
前記捕獲タイミング設定部は、前記無線信号の周期が変動した場合であっても、前記無線信号の１周期の間に１回だけ前記無線信号の位相が捕獲されるよう、前記位相捕獲値を設定することを特徴とする請求項２に記載の無線通信装置。
【請求項４】
前記捕獲タイミング設定部は、
前記無線信号の位相変化に同期したカウント値のリセットが発生した場合、および／または、
前記オーバーフローによるカウント値のリセットが続けて所定回発生した場合、
に、前記位相捕獲値を所定の基準値から変更することを特徴とする請求項２または３に記載の無線通信装置。
【請求項５】
前記捕獲タイミング設定部は、前記無線信号の位相変化に同期したカウント値のリセットが発生すると、前記位相捕獲値を所定の基準値より前に設定することを特徴とする請求項２乃至４のいずれかに記載の無線通信装置。
【請求項６】
前記捕獲タイミング設定部は、前記オーバーフローによるカウント値のリセットが続けて所定回発生すると、前記位相捕獲値を所定の基準値より後に設定することを特徴とする請求項２乃至５のいずれかに記載の無線通信装置。
【請求項７】
前記捕獲タイミング設定部は、前記カウント値が所定値に達する前に、前記オーバーフローによるカウント値のリセットが続けて所定回発生すると、
前記位相捕獲値を所定の基準値より前に設定し、
続いて、前記位相捕獲値を前記所定の基準値より後に設定する
ことを特徴とする請求項２乃至６のいずれかに記載の無線通信装置。
【請求項８】
前記カウンタは、前記カウント値を前記初期値から最大値まで順次更新し、
前記所定の基準値は、前記初期値と前記最大値との略中間の値であることを特徴とする請求項３乃至７のいずれかに記載の無線通信装置。
【請求項９】
位相がデータ値を表す無線信号を受信する無線通信方法であって、
前記無線信号の周波数より高い周波数でカウント値を更新し、前記無線信号の位相変化に同期して、および、前記カウント値のオーバーフローにより、前記カウント値を初期値にリセットするステップと、
前記カウント値のリセットタイミングに応じて位相捕獲値を設定するステップと、
前記カウント値が位相捕獲値に達すると、前記無線信号の位相を捕獲するステップと、を備えることを特徴とする無線通信方法。
【発明の詳細な説明】
【技術分野】
【０００１】
本発明の実施形態は、無線通信装置および無線通信方法に関する。
【背景技術】
【０００２】
無線ＩＣカードなどで使用されるＢＰＳＫ（Binary Phase Shift Keying）方式やＯＯＫ（On/Off Keying）方式では、受信したデータ値は、無線信号の波形の位相に応じて決定される。そのため、無線信号が多少歪んだ場合であっても、精度よくその位相を捕獲する必要がある。
【先行技術文献】
【特許文献】
【０００３】
【特許文献１】特開２００８−２０５８６３号公報
【発明の概要】
【発明が解決しようとする課題】
【０００４】
精度よく無線信号の位相を捕獲できる無線通信装置および無線通信方法を提供する。
【課題を解決するための手段】
【０００５】
実施形態によれば、位相がデータ値を表す無線信号を受信する無線通信装置が提供される。無線通信装置は、前記無線信号の周波数より高い周波数でカウント値を更新し、前記無線信号の位相変化に同期して、および、前記カウント値のオーバーフローにより、前記カウント値を初期値にリセットするカウンタと、前記カウント値のリセットタイミングに応じて位相捕獲値を設定する捕獲タイミング設定部と、前記カウント値が位相捕獲値に達すると、前記無線信号の位相を捕獲する位相捕獲部と、を備える。
【図面の簡単な説明】
【０００６】
【図１】本実施形態で受信する無線信号を模式的に示す図。
【図２】本実施形態における無線信号の位相捕獲法を説明する図。
【図３】本実施形態における無線信号の位相捕獲法を説明する別の図。
【図４】一実施形態に係る無線通信装置の概略構成を示すブロック図。
【図５】復調部１２の動作を模式的に説明する図。
【図６】別の実施形態に係る無線通信装置の概略構成を示すブロック図。
【図７】受信部２２の内部構成の一例を示す図。
【発明を実施するための形態】
【０００７】
以下、実施形態について、図面を参照しながら具体的に説明する。
【０００８】
図１は、本実施形態で受信する無線信号を模式的に示す図である。同図では、無線信号の包絡線を描いている。本実施形態では、１つのデータ値が変調波形および無変調波形の両方を含む無線信号を対象としている。また、この無線信号の位相がデータ値を表しており、位相を捕獲することでデータ値を取得することを念頭に置いている。
【０００９】
対象となる無線信号の具体例として、変調方式がＯＯＫで符号化方式がマンチェスター符号である無線信号（図１（ａ））、変調方式がＢＰＳＫで符号化方式がＮＲＺ−Ｌ（Non Return to Zero L）である無線信号（図１（ｂ））、変調方式がＡＳＫ（Amplitude Shift Keying）で符号化方式がマンチェスター符号である無線信号（図１（ｃ））などが挙げられる。
【００１０】
以下、図１（ｃ）に示す無線信号を例にとって、本実施形態の概要を説明する。図１（ｃ）の時刻Ｔ０〜Ｔ１，Ｔ１〜Ｔ２などが無線信号の１周期である。そして、無線信号の１周期が“０”または“１”の１ビットを示している。例えば、時刻Ｔ０〜Ｔ１の１周期は“０”を示しており、時刻Ｔ１〜Ｔ２の１周期は“１”を示している。
【００１１】
そして、無線信号は、連続する２ビットが１つのデータ値に対応する。具体的には、無線信号の位相が“１”から“０”に遷移する“１０”の２ビットが１値に対応し、“０”から“１”に遷移する“０１”の２ビットが０値に対応する。よって、無線信号における連続する２周期分の位相を捕獲することで、１つのデータ値が確定する。この“１０”または“０１”の２ビットを１ｅｔｕ（Elementary Time Unit）ともいう。以下では、周期を基準にして説明する。
【００１２】
ここで、１値および０値がそれぞれ“１０”および“０１”と対応するため、マンチェスター符号では“０”が３つ以上連続することはないし、“１”が３つ以上連続することもない。言い換えると、位相“０”は最大２周期しか連続せず、位相“１”も最大２周期しか連続しない。
【００１３】
図２は、本実施形態における無線信号の位相捕獲法を説明する図である。本実施形態では、無線信号より高い周波数で動作するカウンタを用いる。そのため、図２では、無線信号の波形（図示しているのは、無線信号を復調して得られたデジタル信号の波形）と、カウンタによるカウント値とを模式的に描いている。カウント値は、所定のタイミング（後述）で０にリセットされ、その後、最大値までカウントアップする。そして、カウント値がある値（以下、位相捕獲値という）に達したときに、無線信号の位相が捕獲される。
【００１４】
図２の例では、カウント値は無線信号の１周期内に８回更新される。言い換えると、カウンタの周波数は、無線信号の周波数の８倍である。そして、カウント値の最大値は７であるとする。この場合、カウント値は、無線信号の１周期で、初期値０から最大値７までカウントアップする。
【００１５】
図２（ａ）は、無線信号に歪みがない理想的な状態を示している。時刻ｔ１〜ｔ３，ｔ３〜ｔ５，ｔ５〜ｔ７がそれぞれ、無線信号の１周期である。この場合、無線信号の位相は、“１”である期間と“０”である期間とが互いに等しく、１つのデータ値におけるデューティ比は５０％ずつである。
【００１６】
時刻ｔ１，ｔ５のように、無線信号のエッジ（すなわち位相の切り替わり）に同期して、カウント値は初期値０にリセットされる。以降、このようなリセットをエッジによるリセットと呼ぶ。
【００１７】
また、時刻ｔ３のように、カウント値が最大値７に達すると、カウント値はオーバーフローして初期値０にリセットされる。以降、このようなリセットをオーバーフローによるリセットと呼ぶ。
【００１８】
なお、カウンタの周波数が無線信号の周波数の８倍であり、カウント値の最大値が７である場合、無線信号に歪みがなければ、カウント値が最大値７であるときに限ってエッジによるリセットが発生する。
【００１９】
そして、カウント値の初期値と最大値とのほぼ中間値である３を位相捕獲値の基準値として、無線信号の位相が捕獲される（時刻ｔ２，ｔ４，ｔ６）。その結果、時刻ｔ２，ｔ４，ｔ６で捕獲される値は、それぞれ“０”，“０”，“１”である。このように、無線信号に歪みがない場合、１周期につき１回ずつ、確実に無線信号の位相を捕獲できる。
【００２０】
ところが、無線信号が大きく歪み、その周期が変動することもある。
【００２１】
図２（ｂ）は、図２（ａ）の無線信号が歪んだ状態を示しており、より具体的には、無線信号の位相が“０”である周期が長くなっている。すなわち、無線信号の位相は、図２（ａ）と比べ、時刻ｔ１より前の時刻ｔ１’で“０”になり、時刻ｔ５より後の時刻ｔ５’で“１”になり、時刻ｔ７より前の時刻ｔ７’で“０”になっている。このように、無線信号が歪んで、１つのデータ値における“１”のデューティ比が５０％より小さく、“０”のデューティ比が５０％より大きくなっている。
【００２２】
仮に図２（ａ）と同様に位相捕獲値を３として無線信号の位相を捕獲すると、時刻ｔ１１，ｔ１２，ｔ１３で位相が捕獲され、その値はそれぞれ“０”，“０”，“０”となってしまう。時刻ｔ１３での捕獲値“０”は、図２（ａ）における時刻ｔ６での捕獲値“１”と異なっており、誤った値である。この誤りは、２周期に相当する時刻ｔ１’〜ｔ５’で３回位相が捕獲される一方、引き続く１周期に相当する時刻ｔ５’〜ｔ７’においては位相が１回も捕獲されないことに起因する。
【００２３】
そこで、本実施形態では、以下のよう、カウント値のリセットタイミングに応じて、位相捕獲値が設定される。
【００２４】
まず、エッジによるリセットが発生すると（時刻ｔ１’，ｔ５’）、位相捕獲値は基準値３より前の１に設定される。これにより、時刻ｔ１’でのエッジ後の時刻ｔ２１で“０”が捕獲されるのに加え、時刻ｔ５’〜ｔ７’の１周期における時刻ｔ２３で“１”が正しく捕獲される。
【００２５】
また、時刻ｔ１’でエッジによるリセットが発生した後、時刻ｔ３’で初めてオーバーフローによるリセットが発生すると、位相捕獲値は通常通り基準値３に設定される。これにより、時刻ｔ１２で“０”が捕獲される。
【００２６】
その後、時刻ｔ１’でエッジによるリセットが発生した後、時刻ｔ３’，ｔ３’’で２回続けてオーバーフローによるリセットが発生すると、以下の理由により、位相捕獲値は基準値３より後の６に設定される。
【００２７】
すなわち、マンチェスター符号化では、無線信号の波形が歪まない限り、“０”は最大２周期しか続かない。よって、無線信号に大きな歪みがなければ、エッジによるリセット後、２回続けてオーバーフローによるリセットは発生しないはずである。それにも関わらず、２回続けてオーバーフローによるリセットが発生したということは、“０”のデューティ比（周期）が長くなっている可能性が高い。そのため、２回目のオーバーフローによるリセット後に、３回目の位相捕獲が行われないよう、位相捕獲値は基準値３より大きな値に設定される。
【００２８】
時刻ｔ３’’の後、カウント値が６に達する前に、時刻ｔ５’でエッジによるリセットが発生する。そのため、時刻ｔ３’’〜ｔ５’の間に無線信号の位相は捕獲されない。結果として、２周期に相当する時刻ｔ１’〜ｔ５’の間に２回位相が捕獲される。
【００２９】
このように、位相捕獲値を動的に設定することで、無線信号の１周期の間に１回だけ無線信号の位相が正しく捕獲される。
【００３０】
図３は、本実施形態における無線信号の位相捕獲法を説明する別の図である。図３（ａ）は、無線信号に歪がない理想的な状態を示している。また、図３（ｂ）は、図３（ａ）の無線信号が歪んだ状態を示しており、より具体的には、無線信号の位相が“１”である周期が長くなっている。
【００３１】
図３（ａ）は無線信号の３周期を描いており、時刻ｔ４１〜ｔ４２，ｔ４２〜ｔ４３，ｔ４３〜ｔ４４がそれぞれ１周期である。位相捕獲値を３として無線信号の位相を捕獲すると、各周期における位相は、“０”，“１”，“１”である。
【００３２】
図３（ｂ）では、無線信号の位相は、図３（ａ）と比べて、時刻ｔ４１より後の時刻ｔ４１’で“０”になり、時刻ｔ４２より前の時刻ｔ４２’で“１”になり、時刻ｔ４４より後の時刻ｔ４４’で“０”になっている。このように、無線信号が歪んで、“１”のデューティ比が５０％より大きく、“０”のデューティ比が５０％より小さくなっている
仮に図３（ａ）と同様に位相捕獲値を３として無線信号の位相を捕獲すると、３周期の間に、時刻ｔ５１，ｔ５２，ｔ５３，ｔ５４の４点で位相が捕獲されてしまう。しかも、時刻ｔ５１，５４は位相のエッジであるため、“０”および“１”のいずれの値が捕獲されるか、分からない。
【００３３】
そこで、本実施形態では、以下のよう、カウント値のリセットタイミングに応じて、位相捕獲値を設定する。
【００３４】
まず、エッジによるリセットが発生すると（時刻ｔ４１’，ｔ４２’）、上述のように、位相捕獲値は基準値３より前の１に設定される。これにより、時刻ｔ４１’でのエッジ後の時刻ｔ６１で“０”が捕獲され、時刻ｔ４２’でのエッジ後の時刻ｔ６２で“１”が正しく捕獲される。
【００３５】
また、時刻ｔ４１’でのエッジによるリセット後、時刻ｔ４２’で再びエッジによるリセットが発生する。このときのカウント値は７に達していない。上述のように、無線信号に歪みがなければ、カウント値が７のときにエッジによるリセットが発生するはずである。
【００３６】
このように、通常より早いエッジによるリセットが発生した場合、現在の位相のデューティ比（周期）が小さくなっており、引き続く位相ではデューティ比（周期）が大きくなることが予測される。よって、位相捕獲値は基準値３より後の６に設定される。これにより、時刻ｔ６３で“１”が正しく捕獲される。
【００３７】
また、時刻ｔ４２’でエッジによるリセットが発生した後、時刻ｔ６４で２回目のオーバーフローによるリセットが発生すると、図２（ｂ）と同様に、位相捕獲値は基準値３より後の６に設定される。
【００３８】
時刻ｔ６４のあと、カウント値が６に達する前に、時刻ｔ４４’でエッジによるリセットが発生する。そのため、時刻ｔ６４〜ｔ４４’の間に無線信号の位相は捕獲されない。結果として、２周期に相当する時刻ｔ４２’〜ｔ４４’の間に２回位相が捕獲される。
【００３９】
このように、位相捕獲値を動的に設定することで、やはり無線信号の１周期の間に１回だけ無線信号の位相が正しく捕獲される。
【００４０】
以下、上記のようにして無線信号の位相を捕獲する無線通信装置の構成について説明する。
【００４１】
図４は、一実施形態に係る無線通信装置の概略構成を示すブロック図である。図４は、無線ＩＣカードなどに用いられる無線通信装置を例示している。そして、無線通信装置は、他の無線通信装置からデータおよび電力を無線で受信し、受信した電力を用いてデータを処理する。
【００４２】
無線通信装置は、受信コイル１と、アナログ回路１０と、ロジック回路２０とを備えている。また、アナログ回路１０は、整流部１１と、復調部１２と、クロック抽出部１３とを有し、ロジック回路２０は、クロック制御部２１と、受信部２２とを有する。
【００４３】
受信コイル１は無線信号を受信する。整流部１１は、例えば４つのダイオードがブリッジ接続されたものであり、無線信号を全波整流する。復調部１２は整流部１１から出力される電力で動作し、受信コイル１で受信された無線信号を復調する。
【００４４】
図５は、復調部１２の動作を模式的に説明する図である。同図では、周波数１３．５６ＭＨｚの搬送波をＡＳＫ変調して得られた無線信号の例を示している。そして、復調部１２は、無線信号の振幅に応じて、無線信号を０値または１値のデジタル信号に変換する。このデジタル信号の周波数は、やはり１３．５６ＭＨｚである。
【００４５】
このとき、無線信号が歪んでいると、図２（ｂ）や図３（ｂ）に示すように、周期が変動して、位相“０”および“１”のデューティ比が５０％ずつでなくなることもある。
【００４６】
図４に戻り、クロック抽出部１３は、受信コイル１で受信された無線信号からクロック信号を抽出する。図５の例では、クロック抽出部１３は１３．５６ＭＨｚのクロック信号を抽出する。
【００４７】
ロジック回路２０のクロック制御部２１は、クロック抽出部１３が抽出したクロック信号を受信部２２に供給する。受信部２２は、図２および図３で説明した手法を用いて、復調部１２が生成したデジタル信号の位相を捕獲することにより、データ値を取得する。
【００４８】
図６は、別の実施形態に係る無線通信装置の概略構成を示すブロック図である。図６は、無線ＩＣカードのリーダライタなどに用いられる無線通信装置を例示している。図４との相違点として、アナログ回路１０は、クロック抽出部１３に代えて、クリスタル発振器１３’を有する。クリスタル発振器１３’は１３．５６ＭＨｚのクロック信号を生成し、このクロック信号が受信部２２に供給される。
【００４９】
また、図６の無線通信装置は、他の無線通信装置から電力を受信することなく、別途供給される電源の電力で復調部１２が動作してもよい。そのため、無線通信装置内に整流器１１を設けなくてもよい。その他は図４の無線通信装置とほぼ同様である。
【００５０】
無線通信装置は図４や図６に限られず、種々の構成が考えられる。
【００５１】
例えば、図６の無線通信装置に整流器１１を設けてもよい。そして、復調部１２は、整流器１１から出力される電圧で動作してもよいし、整流器１１から出力される電圧レベルによっては、他から供給される電圧で動作してもよい。また、整流器１１からの出力される電圧を復調部１２以外の処理部（不図示）に供給してもよい。
【００５２】
あるいは、図４の無線通信装置において、クロック抽出部１３に代えて、クリスタル発振器１３’を設けてもよい。
【００５３】
その他にも、整流器１１、クロック抽出部１３およびクリスタル発振器１３’の配置や動作などについて、種々の変形例が想到できるのは言うまでもない。
【００５４】
図７は、図４や図６に示す無線通信装置における受信部２２の内部構成の一例を示す図である。受信部２２は、エッジ検出部３１と、カウンタ３２と、カウンタリセット制御部３３と、カウンタリセット結果保存部３４と、捕獲タイミング設定部３５と、位相捕獲部３６とを有する。
【００５５】
エッジ検出部３１は、デジタル信号の立ち上がりエッジ（すなわち、位相“０”から“１”への遷移）および立ち下がりエッジ（すなわち、位相“１”から“０”への遷移）を検出する。
【００５６】
カウンタ３２は、デジタル信号の周波数より高い（図２および図３の例では８倍）周波数で、カウント値を初期値（図２および図３の例では０）から最大値（図２および図３の例では７）まで、順次更新する。そして、カウンタ３２は、エッジ検出部３１がデジタル信号のエッジを検出したことに同期して、カウント値を初期値にリセットする。また、カウンタ３２は、カウント値が最大値に達すると、オーバーフローによりカウント値を初期値にリセットする。
【００５７】
カウンタリセット制御部３３はカウント値のリセットタイミングを取得する。より具体的には、カウンタリセット制御部３３は、エッジ検出部３１がデジタル信号のエッジを検出したことと、カウント値にオーバーフローが発生したことを取得する。
【００５８】
カウンタリセット結果保存部３４はカウント値のリセットタイミングを保存する。
【００５９】
捕獲タイミング設定部３５は位相捕獲値を設定する。位相捕獲値は、通常、カウント値の初期値と最大値とのほぼ中間の基準値（図２および図３の例では３）に設定される。そして、捕獲タイミング設定部３５は、過去のカウント値のリセットタイミングに基づき、無線信号の周期が変動した場合であっても、その１周期の間に１回だけデジタル信号の位相が捕獲されるよう、位相捕獲値を設定する。
【００６０】
位相捕獲部３６は、カウント値が位相捕獲値に達すると、デジタル信号の位相を捕獲する。上記のように位相捕獲値が設定されることで、位相捕獲部３６は、無線信号の１周期の間に１回だけ、デジタル信号の位相を捕獲する。
【００６１】
以下、捕獲タイミング設定部３５による位相捕獲値の具体的な設定例を説明する。
【００６２】
例えば、捕獲タイミング設定部３５は、エッジによるリセットが発生すると、位相捕獲値を基準値より前に（すなわち、初期値に近い値に）変更してもよい。例えば、図２で説明したように、時刻ｔ１’でエッジによるリセットが発生すると、捕獲タイミング設定部３５は位相捕獲値を基準値３より前の１に設定する。これにより、捕獲タイミングは通常より早くなる。
【００６３】
また、捕獲タイミング設定部３５は、オーバーフローによるリセットが続けて所定回発生すると、位相捕獲値を基準値より後に（すなわち、最大値の近い値に）変更してもよい。現在の位相の周期が長くなっていると考えられるためである。
【００６４】
例えば、無線信号の符号化方式がマンチェスター符号化である場合、０値および１値が３回（３周期）以上連続することはない。よって、カウント値は２回を超えてオーバーフローすることはないはずである。しかしながら、図２の時刻ｔ３’では、２周期に相当する期間内に３回続けてオーバーフローによるリセットが発生している。そこで、捕獲タイミング設定部３５は、位相捕獲値を基準値３より後の６に設定する。これにより、捕獲タイミングは通常より遅くなる。
【００６５】
また、捕獲タイミング設定部３５は、図３の時刻ｔ４２’のように、カウント値が所定値（例えば最大値）に達する前に、エッジによるリセットが発生した場合に、位相捕獲値を変更してもよい。現在の位相の周期が短くなっており、引き続く位相の周期が長くなると考えられるためである。
【００６６】
すなわち、捕獲タイミング設定部３５は、時刻ｔ４２’でエッジによるリセットが発生した直後は、上述のように、位相捕獲値を基準値より前に変更する。これにより、時刻ｔ６２で位相が捕獲される。続いて、捕獲タイミング設定部３５は、位相捕獲値を基準値より後に変更する。これにより、図３の時刻ｔ５３で位相が捕獲される。
【００６７】
このような捕獲タイミング設定部３５の動作は、例えば捕獲タイミング設定部３５が内部にテーブルを用意しておくことで、実現できる。例えば、エッジやオーバーフローによるカウンタリセット発生時、位相捕獲値をいくつに設定すべきかをテーブルに設定しておいてもよい。また、マンチェスター符号のように２ビットで１つのデータ値を表す場合に、前半および後半のデューティ比の情報を記憶しておいてもよい。これにより、必ずしも位相“０”および位相“１”のデューティ比が５０％ずつでない場合でも、位相捕獲値を正しく設定できる。さらに、テクノロジー情報として、受信する無線信号の変調方式や符号化方式を記憶しておき、テクノロジー情報に応じて位相捕獲値を設定してもよい。
【００６８】
このように、本実施形態では、カウント値のリセットタイミングに応じて、位相捕獲値を動的に設定する。そのため、無線信号の１周期の間に１回だけ位相を捕獲でき、結果として精度よく無線信号の位相を捕獲できる。
【００６９】
なお、本実施形態では、エッジまたはオーバーフローによるリセット時に、カウント値を初期値０にリセットし、リセットタイミングに応じて位相捕獲値を変更する例を示した。しかしながら、位相捕獲値を固定値とし、リセットタイミングに応じて、カウント値を（初期値０ではなく）他の値にリセットすることで、実質的に位相捕獲値が変更されるようにしてもよい。また、リセットタイミングに応じて、カウント値を他の値にリセットするとともに、位相捕獲値を変更してもよい。
【００７０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７１】
１  受信コイル
１０  アナログ回路
１１  整流部
１２  復調部
１３  クロック抽出部
２０  ロジック回路
２１  クロック制御部
２２  受信部
３１  エッジ検出部
３２  カウンタ
３３  カウンタリセット制御部
３４  カウンタリセット結果保存部
３５  捕獲タイミング設定部
３６  位相捕獲部
【図１】
2015050741.tif 000003
【図２】
2015050741.tif 000004
【図３】
2015050741.tif 000005
【図４】
2015050741.tif 000006
【図５】
2015050741.tif 000007
【図６】
2015050741.tif 000008
【図７】
2015050741.tif 000009